(57)【要約】【課題】ＳＩＭホルダー自身が近接非接触通信する場合と、ＳＩＭ自身が近接非接触通信する場合の２つの場合を切替えることのできるＳＩＭホルダーを提供する。【解決手段】ＳＩＭホルダー１は、非接触コントローラ１０２及び非接触通信コンバータチップ１１０などから構成される近接非接触通信インターフェースを備え、非接触Ｉ／ＦがＣ４、Ｃ８端子に接続されたＳＩＭ２が装着されたときに、このＳＩＭ２のＣ４、Ｃ８端子とＳＩＭホルダー１のアンテナコイル１１１の両端が接続し、ＳＩＭ２自身が近接非接触通信可能な構造となっおり、ＳＩＭホルダー１に備えられた近接非接触通信インターフェースのＯＮ／ＯＦＦを切替える選択スイッチ１０をＳＩＭホルダー１が備えることで、ＳＩＭ２自身が近接非接触通信する場合と、ＳＩＭホルダー１自身が近接非接触通信する場合を切替える。【選択図】図４
2009070003.tif 000002
【特許請求の範囲】
【請求項１】
ＳＩＭ（Subscriber Identity Module）を内部に装着し動作するＳＩＭホルダーであって、近接非接触通信に利用するためのアンテナコイルと、前記ＳＩＭと接触して通信するＳＩＭ通信手段と、前記アンテナコイルの電気信号を復調／変調する復調変調部と、近接非接触通信プロトコルを制御する非接触プロトコル制御部をする近接非接触通信手段と、前記ＳＩＭが有する各々の外部端子と接続する複数の接続端子を有し、所定の２つの前記接続端子が前記アンテナコイルの両端と接続している接続基板と、前記ＳＩＭ通信手段および前記近接非接触通信手段に少なくとも電力を供給するための電源電池と、前記近接非接触通信手段の作動のＯＮ／ＯＦＦを選択するための選択スイッチとを備えたことを特徴とするＳＩＭホルダー。
【請求項２】
請求項１に記載のＳＩＭホルダーであって、前記ＳＩＭホルダーは、ＵＳＢ（Universal Serial Bus）コネクタと、ＵＳＢの通信プロトコルを制御するＵＳＢ制御手段を備えていることを特徴とするＳＩＭホルダー。
【発明の詳細な説明】
【技術分野】
【０００１】
本発明は、ＳＩＭ（Subscriber Identity Module）を内部に装着可能で、装着されたＳＩＭと通信するリーダライタの機能を備えたＳＩＭホルダーに関する。
【背景技術】
【０００２】
小型ＩＣチップを実装したＩＣカードは、ＩＣチップのメモリにデータ（例えば、認証局の証明証など）を機密に格納できるため、ネットワークのログイン管理やドアゲートの入退室管理などの様々な用途で使用されている。
【０００３】
ただし、ＩＣカードを使用する際は、ＩＣカードを利用する側に、ＩＣカードとデータの通信を行う装置（例えば、パーソナルコンピュータ）にリーダライタが必要で、リーダリーダライタを備えていない装置では、ＩＣカードを利用することができなかった。
【０００４】
そこで、本出願人は、特許文献１において、少なくとも、コンピュータに容易に接続するためのＵＳＢ（Universal Serial Bus）インターフェースと、内部に装着したＳＩＭ（Subscriber Identity Module）とデータ通信するためリーダライタの機能を兼ね備えたＳＩＭホルダーを開示している。
【０００５】
特許文献１で開示されているＳＩＭホルダーは、ＳＩＭホルダーにアンテナコイルを設け、ＳＩＭがＳＩＭホルダーに装着されることで、アンテナコイルとＳＩＭが接続し、ＩＳＯ／ＩＥＣ１４４４３規格に準拠した近接非接触通信をＳＩＭが行えるようになるＳＩＭホルダーである。
【０００６】
特許文献１で開示されているＳＩＭホルダーに装着されるＳＩＭには、接触通信インターフェースと近接非接触通信インターフェースの２つの通信インターフェースを備えたデュアルインターフェースＩＣチップが実装され、アンテナコイルの両端が接続される２つの近接非接触通信インターフェースは、ＩＳＯ／ＩＥＣ７８１６で定義された外部端子Ｃ４と外部端子Ｃ８に接続されている。
【０００７】
ＳＩＭホルダーにＳＩＭが装着されると、ＳＩＭホルダーに設けられたアンテナコイルの両端と、ＳＩＭの外部端子Ｃ４と外部端子Ｃ８が電気的接続することで、ＳＩＭに実装されたデュアルインターフェースＩＣチップとアンテナコイルが電気的に接続し、非接触ＩＣカードと同様に、ＳＩＭは、ＩＳＯ／ＩＥＣ１４４４３規格に準拠した近接非接触通信が可能になる。
【０００８】
しかし、ＳＩＭホルダーの携帯性を考慮すると、ＳＩＭホルダーの寸法は大きくできず、ＳＩＭホルダーに設けられるアンテナコイルの寸法も小さくなってしまい、無線端末装置からＳＩＭが供給される電力も小さくなるため、近接非接触通信の通信距離は２ｃｍから５ｃｍ程度しか得られない。
【０００９】
そこで、本出願人は、特願２００７−０２３６７２において、無線端末装置と通信する通信インターフェースとして、ＵＳＢインターフェースに加え、ＩＳＯ／ＩＥＣ１４４４３の近接非接触通信インターフェースを備えたＳＩＭホルダーを開示している。
【００１０】
このＳＩＭホルダーに実装されるＳＩＭは、ＩＳＯ／ＩＥＣ７８１６規格に準拠した接触通信インターフェースを有し、ＳＩＭホルダーは、ＩＳＯ／ＩＥＣ１４４４３の近接非接触通信インターフェースを実現するために、アンテナコイルと、アンテナコイルの電気信号を復調／変調する非接触通信コンバータチップと、ＩＳＯ／ＩＥＣ１４４４３規格の通信プロトコルに従い伝送制御するチップと、ＳＩＭホルダーに電力を供給するための電源電池を備えている。
【００１１】
特願２００７−０２３６７２で開示されているＳＩＭホルダーでは、ＳＩＭホルダーとＳＩＭ間の通信には、ＩＳＯ／ＩＥＣ７８１６規格に準拠した接触通信が用いられ、ＳＩＭホルダーが無線端末装置と近接非接触通信するとき、電源は無線端末装置から供給されず、ＳＩＭホルダーに内蔵された電源電池から供給されるため、特許文献１で開示されているＳＩＭホルダーよりも非接触通信距離を伸ばすことが可能である。
【特許文献１】特開２００４−１１８７７１号公報
【発明の開示】
【発明が解決しようとする課題】
【００１２】
しかし、特許文献１で開示されているようなＳＩＭホルダーを利用する一つのメリットとして、様々なＳＩＭをＳＩＭホルダーに装着し利用できることがあるが、特願２００７−０２３６７２で開示されているＳＩＭホルダーに装着できるＳＩＭは、接触型ＩＣカード用のＩＣチップを実装したＳＩＭのみであって、非接触型ＩＣカード用のＩＣチップを実装したＳＩＭや、デュアルインターフェースＩＣカード用のＩＣチップを実装したＳＩＭを実装し、特許文献１で開示されている発明に従い、ＳＩＭ自身が近接非接触通信することはできない問題があった。
【００１３】
例えば、近接非接触通信でのみ動作する非接触専用アプリケーションが搭載されたＩＣチップを、特願２００７−０２３６７２で開示されているＳＩＭホルダーに装着しても、ＳＩＭホルダーとＳＩＭ間は接触通信で動作するため、特願２００７−０２３６７２で開示されているＳＩＭホルダーでは、非接触専用アプリケーションを動作させることができなかった。
【００１４】
そこで、本発明は、無線端末装置とする通信する通信インターフェースとして近接非接触通信インターフェースを備えたＳＩＭホルダーにおいて、ＳＩＭホルダー自身が無線端末装置と近接非接触通信するケースと、ＳＩＭ自身が無線端末装置と近接非接触通信するケースの２つのケースを切替えることのできるＳＩＭホルダーを提供することを目的とする。
【課題を解決するための手段】
【００１５】
上述した課題を解決する第１の発明は、ＳＩＭ（Subscriber Identity Module）を内部に装着し動作するＳＩＭホルダーであって、近接非接触通信に利用するためのアンテナコイルと、前記ＳＩＭと接触して通信するＳＩＭ通信手段と、前記アンテナコイルの電気信号を復調／変調する復調変調部と、近接非接触通信プロトコルを制御する非接触プロトコル制御部をする近接非接触通信手段と、前記ＳＩＭが有する各々の外部端子と接続する複数の接続端子を有し、所定の２つの前記接続端子が前記アンテナコイルの両端と接続している接続基板と、前記ＳＩＭ通信手段および前記近接非接触通信手段に少なくとも電力を供給するための電源電池と、前記近接非接触通信手段の作動のＯＮ／ＯＦＦを選択するための選択スイッチとを備えたことを特徴とするＳＩＭホルダーである。
【００１６】
更に、第２の発明は、第１の発明に記載のＳＩＭホルダーであって、前記ＳＩＭホルダーは、ＵＳＢ（Universal Serial Bus）コネクタと、ＵＳＢの通信プロトコルを制御するＵＳＢ制御手段を備えていることを特徴とする。
【発明の効果】
【００１７】
特許文献１で開示されているＳＩＭホルダーと、特願２００７−０２３６７２で開示されているＳＩＭホルダーの機能を兼ね備えた構成のＳＩＭホルダーとすることで、ＳＩＭホルダー自身が無線端末装置と近接非接触通信するケースと、ＳＩＭ自身が無線端末装置と近接非接触通信するケースの２つのケースを実現することが可能になり、用途に合わせ、様々な種類のＳＩＭが利用できるようになる。更に、ＳＩＭホルダーの近接非接触通信の機能をＯＮ／ＯＦＦする選択スイッチを設けることで、いずれかのケースで使用するか切替えることができるようになる。
【発明を実施するための最良の形態】
【００１８】
以下、本発明の実施の形態について、図面を参照して説明する。本実施の形態に係わるＳＩＭホルダーは、無線端末装置と通信する通信インターフェースとして２つの通信インターフェースを備え、その一つは、パーソナルコンピュータと通信するためのＵＳＢインターフェースで、もう一つは、ドアゲートなどの無線端末装置と通信するための近接非接触通信インターフェースである。
【００１９】
更に、本実施の形態に係わるＳＩＭホルダーは、特願２００７−０２３６７２で開示されているＳＩＭホルダーとは異なり、ＳＩＭホルダーに装着されたＳＩＭ自身が、無線端末装置と近接非接触通信するようすることできる。
【００２０】
このように、本実施の形態に係わるＳＩＭホルダーにおいて、無線端末装置と近接非接触通信する主体となる装置は、ＳＩＭホルダーとＳＩＭの２つあるため、本実施の形態に係わるＳＩＭホルダーは、無線端末装置と近接非接触通信する主体となる装置を選択するための選択スイッチを備えている。
【００２１】
図１は、本実施の形態に係わるＳＩＭホルダー１の外観を説明する図である。ＳＩＭホルダー１は、挿入口１３からスライドしてＳＩＭ２を着脱できる構造で、パーソナルコンピュータのＵＳＢ端子と接続するためのＵＳＢコネクタ１５を備えている。図１では、ＵＳＢコネクタ１５をＡコネクタ（雄型）としているが、ＵＳＢコネクタ１５はミニＢコネクタ（雌型）であってもよい。
【００２２】
更に、ＳＩＭホルダー１には、ＳＩＭホルダー１の電源をＯＮ／ＯＦＦするための電源ボタン１１と、ＳＩＭホルダー１から読み出したデータや、無線端末装置から送信されたデータなどを表示する液晶ディスプレイ１６と、ＳＩＭホルダー１をリセットするときに利用するリセットスイッチ１４と、上述した選択スイッチ１０と、ストラップを通すためのストラップ穴１７などが備えられる。
【００２３】
図２は、ＳＩＭホルダーに装着されるＳＩＭ２を説明する図である。図２に図示しているように、ＳＩＭホルダー１に装着されるＳＩＭ２は、ＩＣカードのＩＣモジュール近辺を矩形状に切り取った形状で、ＳＩＭ２の辺Ｌ１は２５ｍｍ程度、短辺Ｌ２は１５ｍｍ程度に形成され、厚みは、１．０ｍｍ以内で通常は０．７６ｍｍの均一な薄板状のもので、ＳＩＭ２の詳細な形状はＧＳＭ（Global System for Mobile Communications）で規定されている。なお、ＳＩＭ２の一端角部に切り欠きを有するのは、ＳＩＭ２をＳＩＭホルダー１に装着する際の整合を容易にするためのものである。
【００２４】
ＳＩＭ２のＩＣモジュール２０にモールドされたＩＣチップ２１は、デュアルインターフェースＩＣカード用のチップで、接触通信用インターフェースと、近接非接触通信用インターフェースの２つの通信インターフェースを備え、ＩＣチップ２１の接触通信用インターフェースが有する５つのＩ／Ｏは、ＩＳＯ／ＩＥＣ７８１６規格に準じて、ＩＣモジュールの外部端子Ｃ１、外部端子Ｃ２、外部端子Ｃ３、外部端子Ｃ５および外部端子Ｃ７と電気的に接続し、ＩＣチップ２１の非接触通信用インターフェースが有する２つのＩ／Ｏは、特許文献１で開示されているように、外部端子Ｃ４および外部端子Ｃ８と電気的に接続している。
【００２５】
図３は、ＳＩＭホルダー１に設けられた接続基板１２を説明する図である。図３に図示したように、ＳＩＭホルダー１の挿入口から挿入されたＳＩＭ２は、ＳＩＭホルダー１に設けられたストッパー部１２ａに突き当たることで、ＳＩＭホルダー１の所定位置に装着される。
【００２６】
ＳＩＭ２がＳＩＭホルダー１の所定位置に装着されたとき、ＳＩＭ２とＳＩＭホルダー１が電気的に接続するための接続基板１２がＳＩＭホルダー１に設けられ、接続基板１２には、ＳＩＭ２のＩＣモジュール２１に備えられた外部端子Ｃ１から外部端子Ｃ８のそれぞれと接触するための８個の接続端子Ｔ１から接続端子Ｔ８が設けられている。
【００２７】
ＳＩＭ２がＳＩＭホルダー１の所定位置に装着されたとき、接続基板１２の接続端子Ｔ１、接続端子Ｔ２、接続端子Ｔ３、接続端子Ｔ５および接続端子Ｔ７は、接触通信用の端子で、それぞれ、ＳＩＭ２の外部端子Ｃ１、外部端子Ｃ２、外部端子Ｃ３、外部端子Ｃ５および外部端子Ｃ７と電気的に接触し、接続基板１２の接続端子Ｔ４およびＴ８は、近接非接触通信用の端子で、それぞれ、ＳＩＭ２の外部端子Ｃ４および外部端子Ｃ８と電気的に接触し、接続基板１２の接続端子Ｔ４およびＴ８には、近接非接触通信に利用するアンテナコイル１１１の両端が接続されている。なお、アンテナコイル１１１の両端は、接続基板１２のみならず、ＳＩＭホルダー１に組込まれた回路部品に接続されている。
【００２８】
よって、特許文献１で開示されている発明のように、ＳＩＭ２がＳＩＭホルダー１の所定位置に装着されることで、ＳＩＭ２に実装されたＩＣチップ２１の近接非接触通信インターフェースとアンテナコイル１１１が接続し、ＳＩＭ２自身がアンテナコイル１１１を利用して、無線端末装置と近接非接触通信することが可能になる。
【００２９】
図４は、ＳＩＭホルダー１のブロック図である。ＳＩＭホルダー１には、ＣＰＵが実装され、ＳＩＭホルダー１全体を制御する機能を備えた制御回路チップ１００と、ＳＩＭホルダー１に組込まれた電気回路に電力を供給するための電源電池１２０（ここでは、２次電池）と、ＳＩＭホルダー１の電源のＯＮ／ＯＦＦを操作するための電源ボタン１１と、ＳＩＭホルダー１をリセットするときのリセットスイッチ１２２と、無線端末装置のＵＳＢ端子と接続するためのＵＳＢコネクタ１５と、電源電池１２０に電力を充電するための充電回路１２１と、ＳＩＭ２が近接非接触通信に利用するアンテナコイル１１１と、アンテナコイル１１１の電気信号を復調／変調する非接触通信コンバータチップ１１０を備え、非接触通信コンバータチップ１１０にはアンテナコイル１１１の両端が接続され、上述しているようにアンテナコイル１１１の両端は、ＳＩＭ２の外部端子Ｃ４および外部端子Ｃ８に接続されている。
【００３０】
なお、上述しているようにＳＩＭホルダー１には、ＳＩＭホルダー１とＳＩＭ２が電気的に接続するための接続基板１２を備えているが、説明を変わり易くするために、図４では接続基板１２を省略している。
【００３１】
ＳＩＭホルダー１に備えられた制御回路チップ１００は、ＳＩＭホルダー１に備えられた通信インターフェース、すなわち、ＵＳＢ接続でパーソナルコンピュータと通信するＵＳＢ通信インターフェース、近接非接触で無線端末装置と通信する非接触通信インターフェース、および、接触でＳＩＭ２と通信する接触通信インターフェースを制御する機能を有し、ＵＳＢ規格の通信プロトコルを制御するためのＵＳＢコントローラ１０３と、ＩＳＯ／ＩＥＣ７８１６規格に準じた接触通信プロトコルを制御するＳＩＭコントローラ１０１と、ＩＳＯ／ＩＥＣ１４４４３規格に準じた近接非接触通信プロトコルを制御する非接触コントローラ１０２を備え、更に、制御回路チップ１００は、ＳＩＭホルダー１の電源のＯＮ／ＯＦＦを時間で制御するために利用されるタイマー１０４を備えている。
【００３２】
ＳＩＭホルダー１に備えられた制御回路チップ１００には、アンテナコイル１１１の電気信号を復調／変調する機能を備えた非接触通信コンバータチップ１１０と、近接非接触通信する主体を切替えるために利用される選択スイッチ１０が接続されている。
【００３３】
アンテナコイル１１１の電気信号を復調／変調する機能を備えた非接触通信コンバータチップ１１０とは、非接触コントローラ１０２から受け渡された送信データを変調し、アンテナコイル１１１を用い電波信号として送信する機能と、アンテナコイル１１１が受信した電波信号を復調し、電波信号を復調して得られる受信データを非接触コントローラ１０２に受け渡す機能を備えたチップで、制御回路チップ１００の非接触コントローラ１０２と組合されて、ＳＩＭホルダー１に備えられた近接非接触通信手段として機能する。
【００３４】
制御回路チップ１００に備えらた選択スイッチ１０とは、無線端末装置と近接非接触通信する主体を切替えるために利用されるスイッチで、ＳＩＭホルダー１或いはＳＩＭ２のいずれが、無線端末装置と近接非接触通信する主体となるかは、この選択スイッチ１０によって決定される
【００３５】
選択スイッチ１０によって、ＳＩＭホルダー１が近接非接触通信の主体となるときは、制御回路チップ１００は、ＳＩＭコントローラ１０１を作動させ、ＳＩＭ２を活性化すると共に、非接触コントローラ１０２（および、非接触通信コンバータチップ１１０）を作動させる。選択スイッチ１０によって、ＳＩＭ２が近接非接触通信の主体となるとき、制御回路チップ１００のＳＩＭコントローラ１０１によってＳＩＭ２は活性化されず、更に、非接触コントローラ１０２（および、非接触通信コンバータチップ１１０）は作動しない。
【００３６】
図５は、ＳＩＭホルダー１が近接非接触通信の主体となるときの動作を説明する図である。ＳＩＭホルダー１自身が近接非接触通信するとき、無線端末装置とＳＩＭホルダー１間ではＩＳＯ１４４４３規格に準じた近接非接触通信が行われ、ＳＩＭホルダー１とＳＩＭ２間ではＩＳＯ７８１６規格に準じた接触通信が行われる。
【００３７】
ＳＩＭホルダー１が近接非接触通信の主体となるとき、アンテナコイル１１１の電気信号は非接触コンバータチップ１１０によって復調され、アンテナコイル１１１の電気信号は非接触コンバータチップ１１０によって受信データに変換される。
【００３８】
非接触コントローラ１０２は、受信データに含まれるＩＳＯ／ＩＥＣ１４４４３のプロトコルバイトや誤り符号を検査し、正常にコマンドデータを受信すると、受信データに含まれるコマンドデータをＳＩＭコントローラ１０１に受渡し、ＳＩＭコントローラ１０１は、ＩＳＯ／ＩＥＣ７８１６のプロトコルバイトや誤り符合が付与されたＳＩＭ送信データをＳＩＭ２に送信する。
【００３９】
ＳＩＭ２が、ＳＩＭ受信データを解析し、ＳＩＭ受信データに含まれるコマンドに対応する処理を実施すると、ＳＩＭコントローラ１０１は、ＩＳＯ／ＩＥＣ７８１６のプロトコルバイトや誤り符合が付与されたレスポンスデータであるＳＩＭ受信データをＳＩＭ２から受信する。
【００４０】
ＳＩＭコントローラ１０１がＳＩＭ２からＳＩＭ受信データを受信すると、ＳＩＭコントローラ１０１は、ＩＳＯ／ＩＥＣ７８１６のプロトコルバイトや誤り符合を検査し、正常にレスポンスデータをＳＩＭ２から受信すると、ＳＩＭコントローラ１０１はレスポンスデータを非接触コントローラ１０２に受け渡し、非接触コントローラ１０２は、ＩＳＯ／ＩＥＣ１４４４３のプロトコルバイトや誤り符号をレスポンスデータに付与した送信データを非接触コンバータチップ１１０に受け渡す。
【００４１】
非接触コンバータチップ１１０は送信データが受け渡されると、アンテナコイル１１１の負荷を変調させるなどして、アンテナコイル１１１を利用して送信データを無線通信端末に送信する。
【００４２】
図６は、ＳＩＭ２が近接非接触通信の主体となるときの動作を説明する図である。ＳＩＭ２が近接非接触通信の主体となるときは、アンテナコイル１１１を利用して、特許文献１で開示されているように、ＳＩＭ２が無線端末装置と近接非接触通信する。ＳＩＭ２が近接非接触通信の主体となるとき、近接非接触通信の動作に、ＳＩＭホルダー１の制御回路チップ１００の非接触コントローラ１０２および非接触通信コンバータチップ１１０は関与しない。
【００４３】
図７は、本実施形態に係わるＳＩＭホルダー１の動作手順を示したフロー図である。ＳＩＭホルダー１を所持するユーザは、近接非接触通信でＳＩＭホルダー１を使用する前に、ＳＩＭホルダー１に備えられた選択スイッチ１０を用いて、近接非接触通信の主体を決定する（Ｓ１）。
【００４４】
選択スイッチ１０によって、近接非接触通信の主体がＳＩＭホルダー１に設定されると、ユーザはＳＩＭホルダー１の電源ボタン１１を操作し、ＳＩＭホルダー１に電源を供給する（Ｓ２）。
【００４５】
ＳＩＭホルダー１に電源が供給されると、ＳＩＭホルダー１の制御回路チップ１００は、選択スイッチ１０の設定を確認し（Ｓ３）、選択スイッチ１０によって、近接非接触通信する主体がＳＩＭホルダー１に設定されているときは、近接非接触通信機能の作動、すなわち、非接触コントローラ１０２と非接触通信コンバータチップ１１０を作動させると共に（Ｓ４）、ＳＩＭコントローラ１０１を作動させ、ＩＳＯ／ＩＥＣ７８１６の手順に従いＳＩＭ２を活性化（Ｓ５）する。
【００４６】
ＳＩＭ２を活性化し、非接触コントローラ１０２と非接触通信コンバータチップ１１０を作動させると、非接触コントローラ１０２は、無線端末装置からのコマンド受信待ちとなり、無線端末装置からポーリングコマンドを受信すると、ＳＩＭホルダー１と無線端末装置間で近接非接触通信が開始される（Ｓ６）。
【００４７】
なお、選択スイッチ１０によって、近接非接触通信する主体でＳＩＭホルダー１に設定された状態で、ＳＩＭホルダー１を無線端末装置で利用するときは、ＳＩＭホルダー１に電源は供給されず、ＳＩＭ２が無線端末装置からの電波によって起動し、無線端末装置からポーリングコマンドを受信すると、ＳＩＭ２と無線端末装置間で近接非接触通信が開始される（Ｓ７）。
【００４８】
このように、本実施の形態に係わるＳＩＭホルダー１を用い、選択スイッチ１０をユーザーが設定することで、次の４つのケースに対応を取ることができ、様々なＳＩＭ２をＳＩＭホルダー１に装着して利用することが可能になる。
（ケース１）
接触インターフェースのみを持つＳＩＭ２をＳＩＭホルダー１に装着し、ＳＩＭホルダー１が近接非接触通信の主体となり動作する。
（ケース２）
非接触インターフェースのみを持つＳＩＭ２をＳＩＭホルダー１に装着し、ＳＩＭ２が近接非接触通信の主体となり動作する。
（ケース３）
デュアルインターフェースを持つＳＩＭ２をＳＩＭホルダー１に装着し、ＳＩＭホルダー１が近接非接触通信の主体となり動作する。
（ケース４）
デュアルインターフェースを持つＳＩＭ２をＳＩＭホルダー１に装着し、ＳＩＭ２が近接非接触通信の主体となり動作する。
【００４９】
なお、ＳＩＭホルダー１が近接非接触通信の主体となるときは、内蔵された電源電池によってＳＩＭホルダー１が動作するため、制御回路チップ１００は、タイマー１０４を利用して、電源が投入からの時間、すなわち、制御回路チップ１００が作動開始してからの時間を計測し、一定時間が経過すると自動的に電源をＯＦＦにすることが望ましい。
【図面の簡単な説明】
【００５０】
【図１】本実施の形態に係わるＳＩＭホルダーの外観を説明する図。
【図２】ＳＩＭを説明する図。
【図３】ＳＩＭホルダーに備えられた接続基板を説明する図。
【図４】ＳＩＭホルダーのブロック図。
【図５】ＳＩＭホルダーが近接非接触通信の主体となるときの動作を説明する図。
【図６】ＳＩＭが近接非接触通信の主体となるときの動作を説明する図。
【図７】ＳＩＭホルダーの動作手順を示したフロー図。
【符号の説明】
【００５１】
１  ＳＩＭホルダー
１０  選択スイッチ
１２  接続基板
１００  制御回路チップ
１０１  ＳＩＭコントローラ
１０２  非接触コントローラ
１０３  ＵＳＢコントローラ
１１０  非接触コンバータチップ
１２０  電源電池
１１１  アンテナコイル
２  ＳＩＭ
【図１】
2009070003.tif 000003
【図２】
2009070003.tif 000004
【図３】
2009070003.tif 000005
【図４】
2009070003.tif 000006
【図５】
2009070003.tif 000007
【図６】
2009070003.tif 000008
【図７】
2009070003.tif 000009